【事件の表示】
　特願２０１２−１５７０２１号「遊技機」拒絶査定不服審判事件〔平成２６年２月３日出願公開、特開２０１４−１８２５２号〕について、次のとおり審決する。
【結　論】
　本件審判の請求は、成り立たない。
【理　由】
第１　手続の経緯 
　本願は、平成２４年７月１３日の出願であって、平成２８年４月１５日付けの拒絶理由の通知に対し、同年６月２３日に意見書が提出されるとともに手続補正がなされ、同年８月３０日付けの最後の拒絶理由の通知に対し、同年１１月２日に意見書が提出されるとともに手続補正がなされたが、平成２９年３月１４日付け（発送日：同年３月２８日）で平成２８年１１月２日の手続補正が却下されるとともに拒絶査定がなされ、これに対して平成２９年６月２３日に審判の請求がなされると同時に手続補正（以下「本件補正」という。）がなされたものである。  
第２　本件補正についての補正の却下の決定 
［補正の却下の決定の結論］ 
　本件補正を却下する。 
［理由］ 
１　本件補正について（補正の内容） 
　本件補正は特許請求の範囲の請求項１の記載の補正を含むものであり、本件補正前の平成２８年６月２３日にされた手続補正の特許請求の範囲の請求項１の記載と本件補正後の特許請求の範囲の請求項１の記載は、それぞれ以下のとおりである（下線部は補正箇所を示す。また、Ａ〜Ｉについては発明を分説するため当審で付与した。）。 
（平成２８年６月２３日の手続補正） 
「【請求項１】 
　可変表示を行い、遊技者にとって有利な有利状態に制御可能な遊技機であって、
　遊技者の第１動作を検出する第１検出手段と、
　遊技者の前記第１動作とは異なる第２動作を検出する第２検出手段と、
　遊技者に前記第１動作を行うことを促進する第１促進演出と、遊技者に前記第２動作を行うことを促進する第２促進演出とを実行する促進演出実行手段と、
　を備え、
　前記第１促進演出を実行可能な期間と前記第２促進演出を実行可能な期間とは重複することがあり、
　前記促進演出実行手段は、
　一の可変表示において前記第１促進演出を実行する場合、前記第１促進演出の実行前の所定期間と実行後の所定期間との少なくともいずれか一方と、前記第１促進演出の実行中の期間は前記第２促進演出を実行せず、
　前記第１促進演出は、前記第１検出手段により前記第１動作が検出されたときに終了し、
　前記第２促進演出は、前記第２検出手段により前記第２動作が検出されたときに終了する
　ことを特徴とする遊技機。」 
（本件補正）  
「【請求項１】 
Ａ　可変表示を行い、遊技者にとって有利な有利状態に制御可能な遊技機であって、
Ｂ　
動作検出有効期間内に動作されたことに応じて第１演出を実行するための
Ｃ　遊技者の前記第１動作とは異なる
動作であって、動作検出有効期間内に動作されたことに応じて前記第１演出とは異なる第２演出を実行するための
Ｄ　遊技者に前記第１動作を行うことを促進する第１促進演出と、遊技者に前記第２動作を行うことを促進する第２促進演出とを実行する促進演出実行手段と、
　を備え、
Ｅ　前記第１促進演出を実行可能な期間と前記第２促進演出を実行可能な期間とは重複することがあり、
Ｆ　
前記第１促進演出を実行する第１実行期間と前記第２促進演出を実行する第２実行期間とが重複しないように、該第１実行期間と該第２実行期間とを決定する実行期間決定手段を備え、
Ｇ　前記促進演出実行手段は、
　　
前記実行期間決定手段の決定結果にもとづいて、
Ｈ　前記第１促進演出は、前記第１検出手段により前記第１動作が検出されたときに終了し、
Ｉ　前記第２促進演出は、前記第２検出手段により前記第２動作が検出されたときに終了する
　ことを特徴とする遊技機。」 
２　補正の適否　　 
　本件補正後の請求項１は、補正前の請求項１に記載された発明特定事項である「遊技者の第１動作を検出する第１検出手段」の目的について、「動作検出有効期間内に動作されたことに応じて第１演出を実行するための」ものであるという限定を付加するとともに、同発明特定事項である「遊技者の前記第１動作とは異なる第２動作を検出する第２検出手段」の目的について、「動作検出有効期間内に動作されたことに応じて前記第１演出とは異なる第２演出を実行するための」ものであるという限定を付加し、また、同発明特定事項である「第１促進演出」と「第２促進演出」の「実行可能な期間」に関して、「前記第１促進演出を実行する第１実行期間と前記第２促進演出を実行する第２実行期間とが重複しないように、該第１実行期間と該第２実行期間とを決定する実行期間決定手段を備え」るという限定を付加し、さらに、同発明特定事項である「一の可変表示において前記第１促進演出を実行する場合、前記第１促進演出の実行前の所定期間と実行後の所定期間との少なくともいずれか一方と、前記第１促進演出の実行中の期間は前記第２促進演出を実行」しない態様について、「前記実行期間決定手段の決定結果にもとづいて」行うという限定を付加するものであって、補正前の請求項１に記載された発明と補正後の請求項１に記載された発明の産業上の利用分野及び解決しようとする課題が同一であるから、本件補正は、特許法第１７条の２第５項第２号に規定する「特許請求の範囲の減縮」を目的とするものに該当する。 
　そして、本件補正は、明細書の段落【００７１】、【００７３】、図１１、１６、１７、補正前の請求項２等の記載に基づいており、新規事項を追加するものではない。 
　そこで、本件補正後の請求項１に記載された発明（以下「本願補正発明」という。）が特許法第１７条の２第６項において準用する同法第１２６条第７項の規定に適合するか（特許出願の際独立して特許を受けることができるものであるか）について、以下、検討する。 
（１）本願補正発明 
　本願補正発明は、前記１に記載したとおりのものである。
　ここで、「Ｅ　前記第１促進演出を実行可能な期間と前記第２促進演出を実行可能な期間とは重複することがあ」ることは、「Ｆ　前記第１促進演出を実行する第１実行期間と前記第２促進演出を実行する第２実行期間とが重複しないように、該第１実行期間と該第２実行期間とを決定する」ことと矛盾するように見えることから、以下検討する。
　これらの記載は、平成２８年６月２３日の意見書の「（２）補正の概要」の記載を参酌すれば、明細書の段落【０２１５】の「ステップＳ５３７の処理では、例えば、図１３に示すように、変動開始から「左」と「右」の各飾り図柄表示エリア５Ｌ、５Ｒで可変表示される飾り図柄が停止表示されるまでの期間を、「期間１」〜「期間７」といった７つの期間に分け、いずれかの期間を選択することにより、第１促進演出の実行期間を決定する。・・・なお、「期間１」〜「期間７」のそれぞれ期間の長さは、第１促進演出と第１特定演出とを実行するに十分な長さを有している。また、それぞれの期間の長さは、第２促進演出と第２特定演出とを実行するに十分な長さを有している。」との記載、段落【０２１９】の「図１１に示すステップＳ５３７における第１促進演出の実行期間を決定する処理と同様の処理により、第２促進演出の実行期間を決定する（ステップＳ６０３）。」との記載、段落【０２２１】の「例えば、図１３に示す期間１〜期間７の各期間のうち、図１１に示すステップＳ５３７の処理で決定した期間と図１２のステップＳ６０３の処理で決定した期間とが同じ期間であるか否かなどを判定する（例えば、第１促進演出の実行期間が図１３に示す期間３で、第２促進演出の実行期間も図１３に示す期間３であることなどを判定する）ことにより、第１促進演出の実行期間と第２促進演出の実行期間とが同期間があるか否かを判定する（ステップＳ６０５）。」との記載、段落【０２２２】の「図１４に示すステップＳ６０５の処理にて、第１促進演出の実行期間と第２促進演出の実行期間とが同期間であると判定した場合（ステップＳ６０５；Ｙｅｓ）、例えば、図１３に示す期間１〜７のうち、図１４に示すステップＳ６０３の処理で決定した期間を除外し（例えば、ステップＳ６０３の処理で決定した期間が期間３であった場合には、期間３を除外し）、残りの６つの期間（例えば、期間１〜２、期間４〜７）のうちのいずれかの期間を、第２促進演出の実行期間として再度決定する（ステップＳ６０６）。」との記載を根拠とするものである。
　そうすると、本願補正発明の「Ｅ　前記第１促進演出を実行可能な期間と前記第２促進演出を実行可能な期間とは重複することがあ」るとは、第１促進演出の実行期間を決定するに際してのその選択対象となる期間（例えば、「期間１」〜「期間７」）と第２促進演出の実行期間を決定するに際してのその選択対象となる期間（例えば、「期間１」〜「期間７」）とが重複することがあるということを意味するのであって、第１促進演出を実行する第１実行期間と第２促進演出を実行する第２実行期間とが重複して第１促進演出と第２促進演出が同時に行われることがあることを意味するのではないと解する。
　また、本願補正発明の「Ｆ　前記第１促進演出を実行する第１実行期間と前記第２促進演出を実行する第２実行期間とが重複しないように、該第１実行期間と該第２実行期間とを決定する」とは、第１促進演出を実行する第１実行期間と第２促進演出を実行する第２実行期間とが重複することにより第１促進演出と第２促進演出が同時に行われることがないように、第１実行期間と第２実行期間とを決定することを意味するものと解する。
（２）引用文献に記載された事項 
　原査定の拒絶の理由で引用された本願の出願前に頒布された刊行物である特開２０１１−１７７４２１号公報（以下「引用文献」という。）には、図面と共に次の事項が記載されている（下線は当審で付した。）。 
「【０００１】
　本発明は、パチンコ機、アレンジボール機、スロットマシン等の
遊技機
「【００１１】
　
第１操作ボタン１２は、遊技者の押圧操作（所定操作の一例）を検出可能な押しボタン式の操作検出手段で
例えば平坦な略楕円形の操作ボタン部１５を有し、この操作ボタン部１５が内部の弾性部材による付勢力に抗して押圧操作されたとき、その操作ボタン部１５の移動によって内部の検出スイッチ
がＯＮに切り替わるように構成され
第１操作演出が開始されて第１操作ボタン１２の操作を促す第１操作誘導報知が行われ、所定の第１操作有効期間中にこの第１操作ボタン１２が押圧操作されることを条件に
第１特別処理が所定の確率で実行されるようになっている
【００１２】
　第２操作ボタン１３は、
遊技者の押圧操作（所定操作の一例）を検出可能な押しボタン式の操作検出手段で
例えばドーム型の操作ボタン部１６を有し、この操作ボタン部１６が内部の戻しバネ３３による付勢力に抗して押圧操作されたとき、その操作ボタン部１６の移動によって内部の検出スイッチ
がＯＮに切り替わるように構成され
第２操作演出が開始されて第２操作ボタン１３の操作を促す第２操作誘導報知が行われ、所定の第２操作有効期間中にこの第２操作ボタン１３が押圧操作されることを条件に
第２特別処理が所定の確率で実行されるようになっている
「【００２７】
　大入賞手段４７は、遊技球が入賞可能な開状態と入賞不可能な閉状態とに切り換え可能な開閉板５９を備えた開閉式入賞手段で、
特別図柄表示手段５２の変動後の特別図柄が大当たり態様となることに基づいて特別利益状態が発生したときに、開閉板５９が所定の開放パターンに従って前側に開放して、その上に落下した遊技球を内部へと入賞させる
「【００４５】
　本実施形態では、第１操作演出と第２操作演出の２種類の操作演出を実行可能であるとする。第１操作演出は、遊技者による第１操作ボタン１２の操作を伴う操作演出で、この第１操作演出中の所定の操作有効期間中に遊技者が第１操作ボタン１２を操作した場合に、複数種類の
第１特別処理
演出図柄の背景色を青色に変更する「青背景処理」と赤色に変更する「赤背景処理」との何れかが、変動パターンに応じた所定の確率で実行されるようになっている
第２特別処理
回転灯２０を作動させる「回転灯作動処理」が、変動パターンに応じた所定の確率で実行されるようになっている
【００４６】
　操作演出決定手段１０４は、第１，第２操作演出を行うか否かを夫々単位演出期間毎、即ち特別図柄の図柄変動毎に決定するもので、操作演出抽選手段１０４ａ等を備えており、例えば主制御基板６１から変動パターン指定コマンドを受信することを条件に図６に示す操作演出決定処理を実行するように構成されている。即ち、
操作演出決定手段１０４による操作演出決定処理は、特別図柄の変動開始毎に実行される
【００４７】
　この操作演出決定処理（図６）では、まず操作演出抽選手段１０４ａにより、
第１操作演出を行うか否か、及び第１操作演出を行う場合には第１特別処理の種類（ここでは青背景処理と赤背景処理の何れか）が抽選により決定される
「【００５０】
　
この
抽選で当選した場合
第１演出誘導報知を実行するまでの時間を計時するための第１管理タイマＴ１ａに初期値が設定される
【００５１】
　このＳ４においては、例えば特別図柄の変動開始から５秒後に第１演出誘導報知を実行する場合には、５秒に対応する計数値が初期値として第１管理タイマＴ１ａにセットされる。
第１演出誘導報知を実行するまでの時間は
複数の中からその都度抽選等により選択する
【００５２】
　また、第１特別処理フラグＦ２ａに、Ｓ１の抽選で選択された第１特別処理の種類に応じた値、例えば青背景処理が選択された場合には０が、赤背景処理が選択された場合には１がセットされる（Ｓ５〜Ｓ７）。
【００５３】
　
これら
の処理が終了するか、又は
抽選で「演出なし」が選択された場合には
第２操作演出を行うか否か、及び第２操作演出を行う場合には第２特別処理を実行するか否かが抽選により決定される
判定乱数値が１個取得され、その乱数値に応じて「演出なし」、「演出あり：特別処理なし」、「演出あり：特別処理あり」の３種類の何れかが選択される。」
「【００５６】
　
この
抽選で当選した場合
第２演出誘導報知を実行するまでの時間を計時するための第２管理タイマＴ１ｂに初期値が設定される
「【００５９】
　
操作演出管理手段１０５
第１，第２操作演出における第１，第２操作誘導報知
操作誘導報知を行わせる操作誘導報知制御手段１０５ａ
操作演出管理処理を
定期割り込みにより所定時間間隔で実行
「【００６２】
　この第１操作誘導報知開始処理（図８）では、図１１のＰ２に示すように、第１操作ボタン１２の操作が有効な第１操作有効期間中であることを示す第１操作有効フラグＦ３ａがＯＮに切り換えられ（Ｓ３１）、また
第１操作有効期間終了までの時間を計時するための第１有効タイマＴ２ａに初期値が設定され
第１操作演出を行う旨の抽選結果が得られた場合には、単位演出期間中（特別図柄の変動中）の所定のタイミングで、第１操作有効期間が開始されると同時に第１操作誘導報知が開始されるようになっている
「【００６５】
　なお本実施形態では、
仮に第１操作演出と第２操作演出との両方に当選したとしても（
、第１操作有効期間と
第２操作有効期間とは互いに重ならないように設定されている
「【００６９】
　この第２操作誘導報知開始処理（図８）では、第１操作誘導報知開始処理と同様、第２操作ボタン１３の操作が有効な第２操作有効期間中であることを示す第２操作有効フラグＦ３ｂがＯＮに切り換えられ（Ｓ３１）、また
第２操作有効期間終了までの時間を計時するための第２有効タイマＴ２ｂに初期値が設定され
第２操作演出を行う旨の抽選結果が得られた場合には、単位演出期間中（特別図柄の変動中）の所定のタイミングで、第２操作有効期間が開始されると同時に第２操作誘導報知が開始されるようになっている
「【００７５】
　Ｓ４３において第１操作ボタン１２の操作が検出されたと判定された場合には（Ｓ４３：Ｙｅｓ）、図１１のＰ３に示すように、第１操作有効期間中に第１操作ボタン１２が操作されたことを示す第１操作フラグＦ４ａがＯＮに切り換えられる（Ｓ４４）と共に、第１操作有効フラグＦ３ａがＯＦＦに切り換えられ（Ｓ４５）、第１有効タイマＴ２ａがクリアされ（Ｓ４６）、第１操作誘導報知が停止され（Ｓ４７）、操作入力管理処理は終了する。即ち、
第１操作有効期間中に第１操作ボタン１２が操作された場合には、その時点で第１操作有効期間は終了し、第１操作誘導報知も終了する
【００７６】
　
一方
第１操作ボタン１２が操作されることなく第１操作有効期間が経過した場合には、その第１操作有効期間の終了と同時に第１操作誘導報知が停止され
「【００８０】
　Ｓ５０において第２操作ボタン１３の操作が検出されたと判定された場合には（Ｓ５０：Ｙｅｓ）、第２操作有効期間中に第２操作ボタン１３が操作されたことを示す第２操作フラグＦ４ｂがＯＮに切り換えられる（Ｓ５１）と共に、第２操作有効フラグＦ３ｂがＯＦＦに切り換えられ（Ｓ５２）、第２有効タイマＴ２ｂがクリアされ（Ｓ５３）、第２操作誘導報知が停止され（Ｓ５４）、操作入力管理処理は終了する。即ち、
第２操作有効期間中に第２操作ボタン１３が操作された場合には、その時点で第２操作有効期間は終了し、第２操作誘導報知も終了する
【００８１】
　
一方
第２操作ボタン１３が操作されることなく第２操作有効期間が経過した場合には、その第２操作有効期間の終了と同時に第２操作誘導報知が停止され
　上記記載事項を総合すれば、引用文献には以下の発明（以下、「引用発明」という。）が記載されているものと認められる（ａ〜ｉについては本願補正発明のＡ〜Ｉに対応させて付与した。）。
 
「ａ　特別図柄表示手段５２の変動後の特別図柄が大当たり態様となることに基づいて特別利益状態が発生したときに、開閉板５９が所定の開放パターンに従って前側に開放して、その上に落下した遊技球を内部へと入賞させる（【００２７】）遊技機（【０００１】）であって、
ｂ　遊技者の押圧操作（所定操作の一例）を検出可能な押しボタン式の操作検出手段で、例えば平坦な略楕円形の操作ボタン部１５を有し、この操作ボタン部１５が内部の弾性部材による付勢力に抗して押圧操作されたとき、その操作ボタン部１５の移動によってＯＮに切り替わるように構成され、第１操作演出が開始されて操作を促す第１操作誘導報知が行われ、所定の第１操作有効期間中に押圧操作されることを条件に（【００１１】）、演出図柄の背景色を青色に変更する「青背景処理」と赤色に変更する「赤背景処理」との何れかが、変動パターンに応じた所定の確率で実行されるようになっている（【００４５】）第１操作ボタン１２の内部の検出スイッチ（【００１１】）と、
ｃ　遊技者の押圧操作（所定操作の一例）を検出可能な押しボタン式の操作検出手段で、例えばドーム型の操作ボタン部１６を有し、この操作ボタン部１６が内部の戻しバネ３３による付勢力に抗して押圧操作されたとき、その操作ボタン部１６の移動によってＯＮに切り替わるように構成され、第２操作演出が開始されて操作を促す第２操作誘導報知が行われ、所定の第２操作有効期間中に押圧操作されることを条件に（【００１２】）、回転灯２０を作動させる「回転灯作動処理」が、変動パターンに応じた所定の確率で実行されるようになっている（【００４５】）第２操作ボタン１３の内部の検出スイッチ（【００１２】）と、
ｄ　第１，第２操作演出における第１，第２操作誘導報知を行わせる操作誘導報知制御手段１０５ａ（【００５９】）と、
ｅ１　第１操作演出を行うか否か、及び第１操作演出を行う場合には第１特別処理の種類（ここでは青背景処理と赤背景処理の何れか）が抽選により決定され（【００４７】）、この抽選で当選した場合、複数の中からその都度抽選等により選択された（【００５１】）第１演出誘導報知を実行するまでの時間を計時するための第１管理タイマＴ１ａに初期値が設定され（【００５０】）、
ｅ２　これらの処理が終了するか、又は第１操作演出の抽選で「演出なし」が選択された場合には、第２操作演出を行うか否か、及び第２操作演出を行う場合には第２特別処理を実行するか否かが抽選により決定され（【００５３】）、この抽選で当選した場合、第２演出誘導報知を実行するまでの時間を計時するための第２管理タイマＴ１ｂに初期値が設定される（【００５６】）、
ｅ３　操作演出決定処理を、特別図柄の変動開始毎に実行する操作演出決定手段１０４（【００４６】）と、
ｆ１　第１操作演出を行う旨の抽選結果が得られた場合には、第１操作有効期間終了までの時間を計時するための第１有効タイマＴ２ａに初期値が設定され、単位演出期間中（特別図柄の変動中）の所定のタイミングで、第１操作有効期間が開始されると同時に第１操作誘導報知が開始されるようになっており（【００６２】）、
ｆ２　第２操作演出を行う旨の抽選結果が得られた場合には、第２操作有効期間終了までの時間を計時するための第２有効タイマＴ２ｂに初期値が設定され、単位演出期間中（特別図柄の変動中）の所定のタイミングで、第２操作有効期間が開始されると同時に第２操作誘導報知が開始されるようになっている（【００６９】）、
ｆ３　仮に第１操作演出と第２操作演出との両方に当選したとしても、第１操作有効期間と、第２操作有効期間とは互いに重ならないように設定されている（【００６５】）、
ｆ４　操作演出管理処理を、定期割り込みにより所定時間間隔で実行する操作演出管理手段１０５（【００５９】）と、
　を備え、
ｈ　第１操作有効期間中に第１操作ボタン１２が操作された場合には、その時点で第１操作有効期間は終了し、第１操作誘導報知も終了し（【００７５】）、一方、第１操作ボタン１２が操作されることなく第１操作有効期間が経過した場合には、その第１操作有効期間の終了と同時に第１操作誘導報知が停止され（【００７６】）、
ｉ　第２操作有効期間中に第２操作ボタン１３が操作された場合には、その時点で第２操作有効期間は終了し、第２操作誘導報知も終了し（【００８０】）、一方、第２操作ボタン１３が操作されることなく第２操作有効期間が経過した場合には、その第２操作有効期間の終了と同時に第２操作誘導報知が停止される（【００８１】）
　遊技機。」
（３）対比・判断 
　本願補正発明と引用発明とを対比する。なお、見出し（ａ）〜（ｉ）は、本願補正発明のＡ〜Ｉ及び引用発明のａ〜ｉに対応させている。
 
（ａ）引用発明の「ａ　特別図柄表示手段５２の変動後の特別図柄が大当たり態様となることに基づいて特別利益状態が発生したときに、開閉板５９が所定の開放パターンに従って前側に開放して、その上に落下した遊技球を内部へと入賞させる遊技機」は、本願補正発明の「Ａ　可変表示を行い、遊技者にとって有利な有利状態に制御可能な遊技機」に相当する。
（ｂ）引用発明のｂの「所定の第１操作有効期間中に押圧操作されることを条件に、演出図柄の背景色を青色に変更する「青背景処理」と赤色に変更する「赤背景処理」との何れかが、変動パターンに応じた所定の確率で実行されるようになっている第１操作ボタン１２の内部の検出スイッチ」は、本願補正発明の「Ｂ　動作検出有効期間内に動作されたことに応じて第１演出を実行するための遊技者の第１動作を検出する第１検出手段」に相当する。
（ｃ）引用発明のｂの「第１操作ボタン」とｃの「第２操作ボタン」に関して、いずれも「遊技者の押圧操作」という遊技者の同種の操作を検出可能とするものであるが、それらの操作は「第１操作ボタン」と「第２操作ボタン」という異なる対象に向けられた押圧操作であるから、両者は異なる動作といえる。
　したがって、引用発明のｃの「所定の第２操作有効期間中に押圧操作されることを条件に、回転灯２０を作動させる「回転灯作動処理」が、変動パターンに応じた所定の確率で実行されるようになっている第２操作ボタン１３の内部の検出スイッチ」は、本願補正発明の「Ｃ　遊技者の前記第１動作とは異なる動作であって、動作検出有効期間内に動作されたことに応じて前記第１演出とは異なる第２演出を実行するための第２動作を検出する第２検出手段」に相当する。
（ｄ）引用発明の「ｄ　第１，第２操作演出における第１，第２操作誘導報知を行わせる操作誘導報知制御手段１０５ａ」は、それがｂとｃの「遊技者の押圧操作」を「促す第１操作誘導報知」と「第２操作誘導報知を行」うことは明らかであるから、本願補正発明の「Ｄ　遊技者に前記第１動作を行うことを促進する第１促進演出と、遊技者に前記第２動作を行うことを促進する第２促進演出とを実行する促進演出実行手段」に相当するものを有するといえる。 
（ｅ）本願補正発明の「Ｅ　前記第１促進演出を実行可能な期間と前記第２促進演出を実行可能な期間とは重複することがあ」るとは、前記２（１）で検討したように、第１促進演出の実行期間を決定するに際してのその選択対象となる期間（例えば、「期間１」〜「期間７」）と第２促進演出の実行期間を決定するに際してのその選択対象となる期間（例えば、「期間１」〜「期間７」）とが重複することがあるということを意味するものと解する。
　これに対して、引用発明においては、「ｆ３　仮に第１操作演出と第２操作演出との両方に当選したとしても、第１操作有効期間と、第２操作有効期間とは互いに重ならないように」わざわざ「設定され」ているのであるから、ｅ３の「特別図柄の変動開始毎に実行する」「操作演出決定処理」において、ｅ１の「第１操作演出を行うか否か」の「抽選」に当選しｅ２の「第２操作演出を行うか否か」の「抽選」にも当選したときに、ｅ１の「複数の中からその都度抽選等により選択された第１演出誘導報知を実行するまでの時間を計時するための」「Ｔ１ａ」と、その設定方法が具体的に特定されていないが、例えば、ｅ１の「Ｔ１ａ」と同様の範囲において、複数の中からその都度抽選等により選択されるなどしたｅ２の「第２演出誘導報知を実行するまでの時間を計時するための」「Ｔ１ｂ」とが、近い値に「設定」され、ｅ１の「Ｔ１ａ」とｆ１の「Ｔ２ａ」で画される「第１操作有効期間」と、ｅ２の「Ｔ１ｂ」とｆ２の「Ｔ２ｂ」で画される「第２操作有効期間」とが重複することがあることは明らかである。
　そして、引用発明のｆ１の「第１操作有効期間が開始されると同時に第１操作誘導報知が開始される」こと、及び、ｈの「第１操作有効期間中に第１操作ボタン１２が操作された場合には、その時点で第１操作有効期間は終了し、第１操作誘導報知も終了し、一方、第１操作ボタン１２が操作されることなく第１操作有効期間が経過した場合には、その第１操作有効期間の終了と同時に第１操作誘導報知が停止され」ることによれば、第１操作有効期間と第１操作誘導報知がなされる期間とは同視できる。
　同様に、ｆ２の「第２操作有効期間が開始されると同時に第２操作誘導報知が開始される」こと、及び、ｉの「第２操作有効期間中に第２操作ボタン１３が操作された場合には、その時点で第２操作有効期間は終了し、第２操作誘導報知も終了し、一方、第２操作ボタン１３が操作されることなく第２操作有効期間が経過した場合には、その第２操作有効期間の終了と同時に第２操作誘導報知が停止される」ことによれば、第２操作有効期間と第１操作誘導報知がなされる期間とは同視できる。
　したがって、引用発明は、第１操作誘導報知がなされる期間と第２誘導操作報知がなされる期間とが重複することがあることは明らかであるから、本願発明の「Ｅ　前記第１促進演出を実行可能な期間と前記第２促進演出を実行可能な期間とは重複することがあ」る構成を備えるといえる。
（ｆ）本願補正発明の「Ｆ　前記第１促進演出を実行する第１実行期間と前記第２促進演出を実行する第２実行期間とが重複しないように、該第１実行期間と該第２実行期間とを決定する」とは、前記２（１）で検討したように、第１促進演出を実行する第１実行期間と第２促進演出を実行する第２実行期間とが重複することにより第１促進演出と第２促進演出が同時に行われることがないように、第１実行期間と第２実行期間とを決定することを意味するものと解する。
　そうすると、引用発明のｆ４の「操作演出管理処理」は「第１操作誘導報知」の現実の「開始」と「第２操作誘導報知」の現実の「開始」に係る「操作演出管理処理」を「実行する」ものであるから、引用発明の「ｆ３　仮に第１操作演出と第２操作演出との両方に当選したとしても、第１操作有効期間と、第２操作有効期間とは互いに重ならないように設定され」ているｆ４の「操作演出管理処理を」「実行する操作演出管理手段１０５」は、上記（ｅ）で検討した、第１操作有効期間と第１操作誘導報知がなされる期間は同視でき、第２操作有効期間と第１操作誘導報知がなされる期間は同視できることを踏まえれば、本願補正発明の「Ｆ　前記第１促進演出を実行する第１実行期間と前記第２促進演出を実行する第２実行期間とが重複しないように、該第１実行期間と該第２実行期間とを決定する実行期間決定手段」に相当する。
　なお、引用発明のｅ１〜ｅ３の操作演出決定処理において、設定された「第１操作有効期間」たる「第１操作誘導報知」がなされる期間と、設定された「第２操作有効期間」たる「第２操作誘導報知」がなされる期間とが重複する場合に、「ｆ３　仮に第１操作演出と第２操作演出との両方に当選したとしても、第１操作有効期間と第２操作有効期間とは互いに重ならないように」するための具体化手段は特定されていないが、一方を無効にしたり、再抽選をしてずらすなどの処理を行ったりすることは当業者に自明な設計的事項にすぎず、引用発明の認定に支障は生じない。
（ｇ）引用発明において、ｅ１〜ｅ３の「操作演出決定処理」は「特別図柄の変動開始毎に実行」されるから、ｅ１の「Ｔ１ａ」とｆ１の「Ｔ２ａ」で画される「第１操作有効期間」たる「第１操作誘導報知」がなされる期間と、ｅ２の「Ｔ１ｂ」とｆ２の「Ｔ２ｂ」で設定された「第２操作有効期間」たる「第２操作誘導報知」がなされる期間とは、１回の特別図柄の変動中に多くとも１回ずつまでしか実行されないことは明らかである。
　そうすると、引用発明のｄの「操作誘導報知制御手段１０５ａ」は、第１演出誘導報知がなされる前の所定期間となされた後の所定期間との少なくともいずれか一方の期間は第２演出誘導報知を実行しないことは明らかであるから、本願補正発明の「Ｇ　前記促進演出実行手段は、前記実行期間決定手段の決定結果にもとづいて、一の可変表示において前記第１促進演出を実行する場合、前記第１促進演出の実行前の所定期間と実行後の所定期間との少なくともいずれか一方」「の期間は前記第２促進演出を実行せず」に相当するものを備えるといえる。
　また、上記（ｆ）の検討を踏まえれば、引用発明のｄの「操作誘導報知制御手段１０５ａ」は、本願補正発明の「Ｇ　前記促進演出実行手段は、前記実行期間決定手段の決定結果にもとづいて、一の可変表示において前記第１促進演出を実行する場合」、「前記第１促進演出の実行中の期間は前記第２促進演出を実行せず」に相当するものを備えるといえる。
（ｈ）引用発明の「ｈ　第１操作有効期間中に第１操作ボタン１２が操作された場合には、その時点で」「第１操作誘導報知も終了」することは、ｂの「その操作ボタン部１５の移動によって」「内部の検出スイッチ」が「ＯＮに切り替わる」ことに鑑みれば、本願補正発明の「Ｈ　前記第１促進演出は、前記第１検出手段により前記第１動作が検出されたときに終了」することに相当する。
（ｉ）引用発明の「ｉ　第２操作有効期間中に第２操作ボタン１３が操作された場合には、その時点で」「第２操作誘導報知も終了する」ことは、ｃの「その操作ボタン部１６の移動によって」「内部の検出スイッチ」が「ＯＮに切り替わる」ことに鑑みれば、本願補正発明の「Ｉ　前記第２促進演出は、前記第２検出手段により前記第２動作が検出されたときに終了する」ことに相当する。
　そうすると、両者は、 
「Ａ　可変表示を行い、遊技者にとって有利な有利状態に制御可能な遊技機であって、
Ｂ　動作検出有効期間内に動作されたことに応じて第１演出を実行するための遊技者の第１動作を検出する第１検出手段と、
Ｃ　遊技者の前記第１動作とは異なる動作であって、動作検出有効期間内に動作されたことに応じて前記第１演出とは異なる第２演出を実行するための第２動作を検出する第２検出手段と、
Ｄ　遊技者に前記第１動作を行うことを促進する第１促進演出と、遊技者に前記第２動作を行うことを促進する第２促進演出とを実行する促進演出実行手段と、
　を備え、
Ｅ　前記第１促進演出を実行可能な期間と前記第２促進演出を実行可能な期間とは重複することがあり、
Ｆ　前記第１促進演出を実行する第１実行期間と前記第２促進演出を実行する第２実行期間とが重複しないように、該第１実行期間と該第２実行期間とを決定する実行期間決定手段を備え、
Ｇ　前記促進演出実行手段は、
　　前記実行期間決定手段の決定結果にもとづいて、一の可変表示において前記第１促進演出を実行する場合、前記第１促進演出の実行前の所定期間と実行後の所定期間との少なくともいずれか一方と、前記第１促進演出の実行中の期間は前記第２促進演出を実行せず、
Ｈ　前記第１促進演出は、前記第１検出手段により前記第１動作が検出されたときに終了し、
Ｉ　前記第２促進演出は、前記第２検出手段により前記第２動作が検出されたときに終了する
　遊技機。」 
である点で一致し、相違点はない。
　したがって、本願補正発明は、引用文献に記載された発明であるから、特許法第２９条第１項第３号に該当し、特許出願の際独立して特許を受けることができないものである。
（仮の相違点）本願補正発明の構成Ｃに関して
　仮に、上記（ｃ）の検討で、引用発明のｂの「第１操作ボタン」とｃの「第２操作ボタン」に関して、いずれも「遊技者の押圧操作」という遊技者の同種の操作を検出可能とするものであることから両者は異なる動作とはいえないと解した場合、本願補正発明と引用発明とは、次の点で相違する。
　「第２検出手段」が「検出する」「遊技者の動作であって、動作検出有効期間内に動作されたことに応じて前記第１演出とは異なる第２演出を実行するための第２動作」が、本願補正発明は「前記第１動作とは異なる」ものであるのに対し、引用発明はそのようなものではない点。
（仮の相違点について）
　引用発明のｂの「第１操作ボタン１２の内部の検出スイッチ」と、引用発明のｃの「第２操作ボタン１３の内部の検出スイッチ」とは、共に「押圧操作」されるものであるが、前者が「平坦な略楕円形の操作ボタン部１５を有し、この操作ボタン部１５が内部の弾性部材による付勢力に抗して押圧操作されたとき、その操作ボタン部１５の移動によってＯＮに切り替わるように構成され」ているものを例示し、後者が「ドーム型の操作ボタン部１６を有し、この操作ボタン部１６が内部の戻しバネ３３による付勢力に抗して押圧操作されたとき、その操作ボタン部１６の移動によってＯＮに切り替わるように構成され」いるものを例示しており、異なる種類のものを例示していること、引用発明の「押圧操作」は「所定操作の一例」として挙げられていること、さらには、遊技機において演出を実行するために遊技者の押圧操作以外の動作を検出する検出手段を備えることは、例えば、
ア　特開２００４−５７２７６号公報（下線は当審で付した。）
（「【０１１１】
図１０（ａ）に示すように、ＬＣＤ１０の上段１０ａ及び下段１０ｃには、左右方向に沿った中央部に「７」の図柄が表示されてリーチ表示が現出した状態となっており、中段１０ｂには、図柄リールが変動表示されると共に、中段１０ｂの図柄リールに重なって「ボールを回せ！」の表示が行われている。この「ボールを回せ！」の表示が行われている間には、
遊技者によってトラックボール１９ａが操作されると、そのトラックボール１９ａの操作がボール回動検出器２０に検出されることにより
特別演出フラグ３３ｃがオンされて変速期間が開始される
【０１１２】
このように、遊技者には、ＬＣＤ１０に「ボールを回せ！」の表示をすることにより、
トラックボール１９ａを操作して図柄リールの操作が可能
変速期間が設定されて図柄リールの操作が可能
イ　特開２０１１−１５２２１３号公報（下線は当審で付した。）
「【０４５２】
　…図５９（５）に示すように、スティックコントローラ１２２が振動動作している時間（所定の振動時間）内に、
遊技者によってスティックコントローラ１２２を手前方向に傾斜させる操作が行われた場合には、図５９（６）（７）に示すように、クレーン２００によって賞品を掴み取ることに成功する態様の演出が実行され、図５９（８）に示すように、所定の遊技状態（大当りやスーパーリーチ）となる可能性を予告する表示が行われる
「チャンス！」などの文字列が表示される
に記載されているように周知技術であることに鑑みれば、操作手段に多様性を持たせて遊技の興趣を高めるために、引用発明の「第１操作ボタン１２の内部の検出スイッチ」または「第２操作ボタン１３の内部の検出スイッチ」の一方を押圧操作以外の動作を検出する検出手段とすることに格別の困難性はなく、そのようにして仮の相違点に係る本願補正発明の構成に想到することは、当業者が容易になし得るものである。
　また、仮の相違点に係る本願補正発明の構成の奏する効果は、引用発明及び周知技術から当業者が予測できる範囲のものであり、格別顕著なものではない。
　したがって、仮に、本願補正発明と引用発明との間に相違点があったとしても、本願補正発明は、引用発明及び周知技術に基づいて、当業者が容易に発明をすることができたものであり、特許法第２９条第２項の規定により、特許出願の際独立して特許を受けることができないものである。
（請求人の主張について）
　請求人は、審判請求書において、引用文献では、第１操作有効期間や第２操作有効期間、第１操作演出や第２操作演出の演出期間を決定する処理を行うものとはなっておらず、従って、引用文献の段落【００６５】には、第１操作有効期間と第２操作有効期間とが初めから重複しないように作りこまれているものが記載されているにすぎず、期間が重複しないように積極的に期間の決定を行う処理を行うものではないから、本願補正発明のＥ、Ｆ、Ｇの構成に想到することはできない旨、主張する。
　しかしながら、上記（ｅ）に記載したように、引用発明においては、「ｆ３　仮に第１操作演出と第２操作演出との両方に当選したとしても、第１操作有効期間と、第２操作有効期間とは互いに重ならないように」わざわざ「設定され」ているのであるから、ｅ３の「特別図柄の変動開始毎に実行する」「操作演出決定処理」において、ｅ１の「第１操作演出を行うか否か」の「抽選」に当選しｅ２の「第２操作演出を行うか否か」の「抽選」にも当選したときに、ｅ１の「複数の中からその都度抽選等により選択された第１演出誘導報知を実行するまでの時間を計時するための」「Ｔ１ａ」と、その設定方法が具体的に特定されていないが、例えば、ｅ１の「Ｔ１ａ」と同様の範囲において、複数の中からその都度抽選等により選択されるなどしたｅ２の「第２演出誘導報知を実行するまでの時間を計時するための」「Ｔ１ｂ」とが、近い値に「設定」され、ｅ１の「Ｔ１ａ」とｆ１の「Ｔ２ａ」で画される「第１操作有効期間」と、ｅ２の「Ｔ１ｂ」とｆ２の「Ｔ２ｂ」で画される「第２操作有効期間」とが重複することがあることは明らかであるから、引用発明は本願補正発明のＥの構成を備えるものといえる。
　さらに、引用発明が本願補正発明のＦ及びＧの構成を備えることは、上記（ｆ）、（ｇ）で検討したとおりである。
　したがって、請求人の主張に理由はなく、これを採用することができない。
３　本件補正についてのむすび 
　以上より、本件補正は、特許法第１７条の２第６項において準用する同法第１２６条第７項の規定に違反するので、同法第１５９条第１項において読み替えて準用する同法第５３条第１項の規定により却下すべきものである。
　よって、上記補正の却下の決定の結論のとおり決定する。
第３　本願発明について
１　本願発明 
　本件補正は、上記のとおり却下されたので、本願の請求項に係る発明は、平成２８年６月２３日にされた手続補正により補正された特許請求の範囲の請求項１ないし２に記載された事項により特定されるものであるところ、その請求項１に係る発明（以下「本願発明」という。）は、その請求項１に記載された事項により特定される、前記第２［理由］１に記載のとおりのものである。
２　原査定の拒絶理由
　原査定の拒絶の理由は、
１．（新規性）この出願の請求項１ないし２に係る発明は、本願の出願前に頒布された下記の引用文献に記載された発明であるから、特許法第２９条第１項第３号に該当し、特許を受けることができない、
２．（進歩性）この出願の請求項１ないし２に係る発明は、本願の出願前に頒布された下記の引用文献に記載された発明に基づいて、その出願前にその発明の属する技術の分野における通常の知識を有する者が容易に発明をすることができたものであるから，特許法第２９条第２項の規定により特許を受けることができない、
というものである。
引用文献：特開２０１１−１７７４２１号公報
３　引用文献 
　原査定の拒絶の理由で引用された引用文献の記載事項は、前記第２［理由］２（２）に記載したとおりである。
４　対比・判断 
　本願発明は、前記第２の［理由］２で検討した本願補正発明の発明特定事項である「遊技者の第１動作を検出する第１検出手段」の目的について、「動作検出有効期間内に動作されたことに応じて第１演出を実行するための」ものであるという限定事項を削除するとともに、同発明特定事項である「遊技者の前記第１動作とは異なる第２動作を検出する第２検出手段」の目的について、「動作検出有効期間内に動作されたことに応じて前記第１演出とは異なる第２演出を実行するための」ものであるという限定事項を削除し、また、同発明特定事項である「第１促進演出」と「第２促進演出」の「実行可能な期間」に関して、「前記第１促進演出を実行する第１実行期間と前記第２促進演出を実行する第２実行期間とが重複しないように、該第１実行期間と該第２実行期間とを決定する実行期間決定手段を備え」るという限定事項を削除し、さらに、同発明特定事項である「一の可変表示において前記第１促進演出を実行する場合、前記第１促進演出の実行前の所定期間と実行後の所定期間との少なくともいずれか一方と、前記第１促進演出の実行中の期間は前記第２促進演出を実行」しない態様について、「前記実行期間決定手段の決定結果にもとづいて」行うという限定事項を削除したものでる。
　そうすると、本願発明の発明特定事項を全て含み、さらに他の事項を付加したものに相当する本願補正発明が、前記第２［理由］２（３）に記載したとおり、引用文献に記載された発明であり、仮に、引用発明との相違点があったとしても引用発明及び周知技術に基づいて当業者が容易に発明をすることができたものであるから、本願発明も、引用文献に記載された発明であり、仮に引用発明との相違点があったとしても引用発明及び周知技術に基づいて当業者が容易に発明をすることができたものである。
第４　むすび
　以上のとおり、本願発明は、特許法第２９条第１項第３号に該当し、または特許法第２９条第２項の規定により特許を受けることができないから、他の請求項に係る発明について検討するまでもなく、本願は拒絶されるべきものである。
　よって、結論のとおり審決する。